(57)【要約】【課題】画像を投射して拡大された投射画像を得るプロジェクタ装置において、色の再現性を高める投射画像表示と、輝度を高める投射画像表示を備え、会議用やホームシアタ用等の使用用途に対応して最適な画像表示のできるプロジェクタ装置を得る。【解決手段】輝度を最適にするカラーホイール７と、色彩を最適にするカラーホイール８を備え、これらを移動自在に保持する移動台６１と、この移動台６１を連動して移動させるダイヤルスイッチ６３を有し、ダイヤルスイッチ６３により上記カラーホイールを切り替え、この切り替えに合わせて、カラーホイールの回転数や、プロジェクタの明るさ、コントラスト、色温度及び冷却ファンの回転数を変更して、使用用途に応じた最適な投射画像を得る。【選択図】図４
2006215431.tif 000002
【特許請求の範囲】
【請求項１】
光源と、前記光源からの光を配色するためのカラーフィルタが円周方向に沿って配列されたカラーホイールを有するカラーホイール部と、前記カラーホイールにより配色された光を用いて画像を形成する画像形成素子と、前記光源を冷却するための冷却ファンと、プロジェクタ装置全体を制御するマイクロコンピュータ（以下、マイコンと略す）とを備え、前記画像形成素子で形成された画像を投射して拡大画像を得るプロジェクタ装置において、
前記カラーホイール部は、第１のカラーホイールと第２のカラーホイールとから構成され、
前記第１のカラーホイールは、赤フィルタ、緑フィルタ、青フィルタ及び白色（透明）フィルタを配列した４セグメントのカラーホイールであり、
前記第２のカラーホイールは、赤フィルタ、緑フィルタ及び青フィルタの３色のフィルタを交互に２組配列した６セグメントのカラーホイールであり、
前記第１のカラーホイール及び第２のカラーホイールを移動自在に保持する移動台と、前記移動台をダイヤルの回転により移動させて前記第１のカラーホイールと第２のカラーホイールとを切り替えるダイヤルスイッチとから構成され、前記第１のカラーホイールと第２のカラーホイールとを切り替えるカラーホイール切替手段をさらに備え、
前記ダイヤルスイッチは、前記第１のカラーホイールと第２のカラーホイールとの切り替え時に切り替え信号を発生し、
前記マイコンは、前記切り替え信号を検知したときに、カラーホイール制御信号を発生させ、
前記ダイヤルスイッチを回転させることにより、前記第１のカラーホイール又は前記第２のカラーホイールを、前記光源からの光が通過する光路上に移動させると共に、前記マイコンからのカラーホイール制御信号に基づき、前記第１のカラーホイールと前記第２のカラーホイールとの切り替えに対応して、これらのカラーホイールの回転数と、前記プロジェクタ装置の明るさ、コントラスト及び色温度と、冷却ファンの回転数とを変更することを特徴とするプロジェクタ装置。
【請求項２】
光源と、前記光源からの光を配色するためのカラーフィルタが円周方向に沿って配列されたカラーホイールを有するカラーホイール部と、前記カラーホイールにより配色された光を用いて画像を形成する画像形成素子とを備え、前記画像形成素子で形成された画像を投射して拡大画像を得るプロジェクタ装置において、
前記カラーホイール部は、複数のカラーホイールから構成され、
前記複数のカラーホイールの切替え用のダイヤルスイッチまたは外部スイッチを有し、これらのカラーホイールを交互に切り替えるカラーホイール切替手段をさらに備え、
前記複数のカラーホイールは、それぞれ異なる輝度、色彩を再現可能なカラーフィルタの色配列を有し、
前記ダイヤルスイッチ又は外部スイッチにより、手動又は自動によって前記複数のカラーホイールを切り替えることを特徴するプロジェクタ装置。
【請求項３】
前記光源を冷却するための冷却ファンと、
前記プロジェクタ装置全体を制御するマイクロコンピュータ（以下、マイコンと略す）とをさらに備え、
前記カラーホイールの数は、２つであり、
前記カラーホイール切替え用のダイヤルスイッチ又は外部スイッチは、前記２つのカラーホイールの切り替え時に切り替え信号を発生し、
前記マイコンは、前記切り替え信号を検知したときに、カラーホイール制御信号を発生させ、
前記マイコンからのカラーホイール制御信号に基づき、前記２つのカラーホイールの切り替えに対応して、これらのカラーホイールの回転数と、前記プロジェクタ装置の明るさ、コントラスト及び色温度と、冷却ファンの回転数とを変更することを特徴とする請求項２に記載のプロジェクタ装置。
【請求項４】
前記カラーホイール部は、第１のカラーホイールと第２のカラーホイールとから構成され、
前記第１のカラーホイールは、赤フィルタ、緑フィルタ、青フィルタ及び白色（透明）フィルタを配列した４セグメントのカラーホイールであり、
前記第２のカラーホイールは、赤フィルタ、緑フィルタ及び青フィルタの３色のフィルタを交互に２組配列した６セグメントのカラーホイールであり、
前記カラーホイール切替手段は、前記第１のカラーホイール及び第２のカラーホイールを移動自在に保持して前記ダイヤルスイッチの回転に応じて移動する移動台をさらに有し、
前記ダイヤルスイッチを回転させることにより、前記第１のカラーホイール又は前記第２のカラーホイールを、前記光源からの光が通過する光路上に移動させると共に、前記プロジェクタ装置を会議用で使用する場合は、前記第１のカラーホイールを用い、家庭用で使用する場合は、前記第２のカラーホイールを用いることを特徴とする請求項３に記載のプロジェクタ装置。
【発明の詳細な説明】
【技術分野】
【０００１】
本発明は、テレビジョン映像をスクリーンに拡大して投射するプロジェクタ装置に係り、特にカラーホイールの切替え技術に関する。
【背景技術】
【０００２】
近年、テレビジョン映像をスクリーン投射して、大画面映像を楽しむことができるプロジェクション・テレビジョン（以下、プロジェクタと略す）が、機器の小型化と輝度の向上により、家庭におけるホームシアタ用として注目され、需要が高まってきていると共に、パーソナルコンピュータ（以下、パソコンと略す）と連結して会議等で使用するプレゼンテーションツールとして広く利用されてきている。そして、このような会議室でのプレゼンテーション用のプロジェクタとしては、部屋の照明を明るくして使用するために、特に画像の輝度が高いことが望まれ、一方、一般家庭用のプロジェクタは映画等の色彩豊かな映像を投射するものとして使用されるので、色再現性のよい映像画質が要望される。また、装置の小型化のために、いわゆる単板式と呼ばれる１つの画像形成素子を用いてカラー画像を形成するタイプのプロジェクタ装置では、カラー画像を投射するために、ランプから出射される光を配色する配色装置を備えており、この配色装置として、カラーホイールを用いたものが採用されている。
【０００３】
従来における、この種のプロジェクタ装置を図８に示す。同図において、光源１０１からの照明光は、色彩発生部の赤、緑、青のカラーフィルタを持つカラーホイール１０２によりフィルタリングされて、フィルタリング後の赤色光及び緑色光に含まれる黄色光を減衰させるための黄色光バンド・カット・フィルタ１０３に入射する。この黄色光バンド・カット・フィルタ１０３は、モータ等の駆動装置１０４で駆動され、照明光路上に設置されたり、或いは光源の光路外に移動されたりして、選択して用いられる。そして、家庭用としてプロジェクタを使用する場合は、色彩性能が重視されるため、この黄色光バンド・カット・フィルタ１０３を駆動系により選択的に光路に設置することにより、赤色光及び緑色光に含まれている黄色光の光量を減衰調整して、色彩が最適となる画面を表示し、また、黄色光バンド・カット・フィルタ１０３を光路から外すことにより、輝度が最高となる画面を表示しようとする（例えば、特許文献１参照）。
【０００４】
しかし、上記従来例におけるプロジェクタ装置では、色彩精度を上げるために、光が３色のカラーフィルタからなるカラーホイール１０２を通過した後方の光路上に、黄色光バンド・カット・フィルタ１０３を配置するため、カラーフィルタが光路に直列に連続して二重に配設される。従って、この二重のフィルタにより光源からの投射光量が減衰されて輝度が低下すると同時に、二重のフィルタにより色ずれが生じるという問題があった。
【特許文献１】特開２００４−１９１９８７号公報
【発明の開示】
【発明が解決しようとする課題】
【０００５】
本発明は、上記の問題を解決するためになされたものであり、色彩を最適にする専用のカラーホイールと、輝度を最適にする専用のカラーホイールを備えて、用途に応じてカラーホイールを選択できると共に、選択されたカラーホイールに合わせて、個々にカラーホイールの回転数や、プロジェクタ装置の明るさ、コントラスト、及び色温度と、冷却ファンの回転数を変更でき、会議用又は家庭用等、使用用途毎に最適な画質の画像を得ることができるプロジェクタ装置を提供しようとするものである。
【課題を解決するための手段】
【０００６】
上記目的を達成するために請求項１の発明は、光源と、前記光源からの光を配色するためのカラーフィルタが円周方向に沿って配列されたカラーホイールを有するカラーホイール部と、前記カラーホイールにより配色された光を用いて画像を形成する画像形成素子と、前記光源を冷却するための冷却ファンと、プロジェクタ装置全体を制御するマイクロコンピュータ（以下、マイコンと略す）とを備え、前記画像形成素子で形成された画像を投射して拡大画像を得るプロジェクタ装置において、前記カラーホイール部は、第１のカラーホイールと第２のカラーホイールとから構成され、前記第１のカラーホイールは、赤フィルタ、緑フィルタ、青フィルタ及び白色（透明）フィルタを配列した４セグメントのカラーホイールであり、前記第２のカラーホイールは、赤フィルタ、緑フィルタ及び青フィルタの３色のフィルタを交互に２組配列した６セグメントのカラーホイールであり、前記第１のカラーホイール及び第２のカラーホイールを移動自在に保持する移動台と、前記移動台をダイヤルの回転により移動させて前記第１のカラーホイールと第２のカラーホイールとを切り替えるダイヤルスイッチとから構成され、前記第１のカラーホイールと第２のカラーホイールとを切り替えるカラーホイール切替手段をさらに備え、前記ダイヤルスイッチは、前記第１のカラーホイールと第２のカラーホイールとの切り替え時に切り替え信号を発生し、前記マイコンは、前記切り替え信号を検知したときに、カラーホイール制御信号を発生させ、前記ダイヤルスイッチを回転させることにより、前記第１のカラーホイール又は前記第２のカラーホイールを、前記光源からの光が通過する光路上に移動させると共に、前記マイコンからのカラーホイール制御信号に基づき、前記第１のカラーホイールと前記第２のカラーホイールとの切り替えに対応して、これらのカラーホイールの回転数と、前記プロジェクタ装置の明るさ、コントラスト及び色温度と、冷却ファンの回転数とを変更するものである。
【０００７】
請求項２の発明は、光源と、前記光源からの光を配色するためのカラーフィルタが円周方向に沿って配列されたカラーホイールを有するカラーホイール部と、前記カラーホイールにより配色された光を用いて画像を形成する画像形成素子とを備え、前記画像形成素子で形成された画像を投射して拡大画像を得るプロジェクタ装置において、前記カラーホイール部は、複数のカラーホイールから構成され、前記複数のカラーホイールの切替え用のダイヤルスイッチまたは外部スイッチを有し、これらのカラーホイールを交互に切り替えるカラーホイール切替手段をさらに備え、前記複数のカラーホイールは、それぞれ異なる輝度、色彩を再現可能なカラーフィルタの色配列を有し、前記ダイヤルスイッチ又は外部スイッチにより、手動又は自動によって前記複数のカラーホイールを切り替えるものである。
【０００８】
請求項３の発明は、請求項２に記載のプロジェクタ装置において、前記光源を冷却するための冷却ファンと、前記プロジェクタ装置全体を制御するマイクロコンピュータ（以下、マイコンと略す）とをさらに備え、前記カラーホイールの数は、２つであり、前記カラーホイール切替え用のダイヤルスイッチ又は外部スイッチは、前記２つのカラーホイールの切り替え時に切り替え信号を発生し、前記マイコンは、前記切り替え信号を検知したときに、カラーホイール制御信号を発生させ、前記マイコンからのカラーホイール制御信号に基づき、前記２つのカラーホイールの切り替えに対応して、これらのカラーホイールの回転数と、前記プロジェクタ装置の明るさ、コントラスト及び色温度と、冷却ファンの回転数とを変更するものである。
【０００９】
請求項４の発明は、請求項３に記載のプロジェクタ装置において、前記カラーホイール部は、第１のカラーホイールと第２のカラーホイールとから構成され、前記第１のカラーホイールは、赤フィルタ、緑フィルタ、青フィルタ及び白色（透明）フィルタを配列した４セグメントのカラーホイールであり、前記第２のカラーホイールは、赤フィルタ、緑フィルタ及び青フィルタの３色のフィルタを交互に２組配列した６セグメントのカラーホイールであり、前記カラーホイール切替手段は、前記第１のカラーホイール及び第２のカラーホイールを移動自在に保持して前記ダイヤルスイッチの回転に応じて移動する移動台をさらに有し、前記ダイヤルスイッチを回転させることにより、前記第１のカラーホイール又は前記第２のカラーホイールを、前記光源からの光が通過する光路上に移動させると共に、前記プロジェクタ装置を会議用で使用する場合は、前記第１のカラーホイールを用い、家庭用で使用する場合は、前記第２のカラーホイールを用いるものである。
【発明の効果】
【００１０】
請求項１の発明によれば、輝度を最適にする第１のカラーホイールと、色彩を最適にする第２のカラーホイールを備え、用途に応じてダイヤルスイッチで簡単にカラーホイールを選択できると共に、選択されたカラーホイールに合わせて、個々にカラーホイールの回転数や、プロジェクタ装置の明るさ、コントラスト、色温度、及び冷却ファンの回転数を最適に変更できるので、使用状態に応じた最適な画質の画像を得ることができる。これにより、１台のプロジェクタ装置を、輝度重視の会議用及び色彩重視のホームシアタ用の両方で最適に利用することができる。
【００１１】
請求項２の発明によれば、異なった輝度及び色彩を再現できる複数個のカラーホイールをダイヤルスイッチ又は外部スイッチで簡単に切り替えられるので、必要なカラーホイールを選択することにより、プロジェクタ装置の投射画像の画質を使用用途に応じて最適にすることができる。
【００１２】
請求項３の発明によれば、二つのカラーホイールの切替時に、切替わったカラーホイールに対応して、そのカラーホイールの回転数や、プロジェクタ装置の明るさ、コントラスト、色温度、さらに冷却ファンの回転数を変更できるので、選択されたカラーホイールにに最適な画質の画像を設定でき、使用用途に適した投射画像を得ることができる。
【００１３】
請求項４の発明によれば、第１のカラーホイールを高輝度な画像に対応したものとし、第２のカラーホイールを最適な色再現性に対応したものとすることができ、さらに、切り替えにより選択されたカラーホイールに応じて、カラーホイールの回転数や、プロジェクタ装置の明るさ、コントラスト、色温度、さらに冷却ファンの回転数をそれぞれ最適に設定できる。従って、１台のプロジェクタ装置において、高輝度の会議用及び色彩の鮮やかな家庭用の両方に適用できるプロジェクタが実現でき、それぞれの用途に合った最適な画像が得られる。
【発明を実施するための最良の形態】
【００１４】
以下、本発明の一実施形態に係るプロジェクタについて図面を参照して説明する。図１は、本実施形態のプロジェクタ装置の外観を示す。プロジェクタ装置１（以下、プロジェクタと略す）は、テレビジョン受像機、ビデオテープレコーダ、ＤＶＤプレーヤ及びパソコン等から入力される画像データを基に画像を生成し、その画像をスクリーンに拡大して投射表示する装置である。プロジェクタ１は、装置本体２の外装ケース３の前面に、画像を投射するための投射部４を備えている。
【００１５】
次に、上記プロジェクタ１の内部構成について図２を参照して説明する。同図において、プロジェクタ装置１は、映像入力信号を信号処理する映像信号処理回路１１と、本装置１全体を制御するマイクロコンピュータ（以下、マイコンと略す）１４と、マイコン１４からの画像制御信号により制御され、映像信号処理回路１１から出された映像信号を増幅して出力する映像信号出力回路１２と、音声入力信号を信号処理し、外部スピーカ（図示せず）に出力する音声信号処理回路１３と、映像信号出力回路１２から出された映像信号に基く画像を投射してスクリーンに拡大画像を映す投射部４と、投射部４に光束を送る光源部５と、光源部５と投射部４の間に配設され、光束の光路５４を横切って回転するカラーホイール７及びカラーホイール８を有するカラーホイール部６と、カラーホイール切替用の外部スイッチ９と、本装置１の各種制御用データを記憶するメモリ１５とを備えている。また、カラーホイール部６は、カラーホイール７及びカラーホイール８を移動自在に保持する移動台６１（カラーホイール切替手段）と、移動台６１と連動するダイヤルスイッチ６３（カラーホイール切替手段）とを有している。
【００１６】
光源部５は、光を出射するランプ５１と、ランプを冷却する冷却ファン５２と、出射された光を集光して光束を形成するレンズ５３を備え、冷却ファン５２の回転数はマイコン１４により制御される。
【００１７】
投射部４は、カラーホイール７又は８を通過したランプ５１からの入射光を基に、映像信号より画像を形成する画像形成部４２と、画像形成部４２からの画像を拡大投射する投射レンズ４３からなる。画像形成部４２は、ランプ５１からの光を集光するレンズ４６、このレンズ４６からの入射光を反射する反射ミラー４４、及び反射ミラー４４等により導かれた光に基いて、画像を生成するＤＭＤ（デジタル・マイクロミラー・デバイス）４５よりなる。ＤＭＤ４５は、多数のマイクロミラーがマトリックス状に配列されて画像形成面が構成されており、各マイクロミラーの角度が映像信号出力回路１２からの信号により制御されて、照射される光を反射して画像を形成する。そして、ＤＭＤ４５の画像形成面からの反射光、すなわちＤＭＤ４５で形成された画像が、投射レンズ４３により、例えばスクリーン（図示なし）に投射される。
【００１８】
カラーホイール部６は、光源部５のランプ５１からの光を配色するためのカラーフィルタが、円周方向に沿って配列されたカラーホイール７（第１のカラーホイール）とカラーホイール８（第２のカラーホイール）を持つ。このカラーホイール７及びカラーホイール８のカラーフィルタの配色構成を図３（ａ）及び図３（ｂ）に示す。
【００１９】
図３（ａ）は、カラーホイール７のカラーフィルタの構成を示す。カラーホイール７は、円周方向に沿って赤フィルタ７１、緑フィルタ７２、青フィルタ７３及び白色（透明）フィルタ７４が配列された４セグメントのカラーホイールとなっている。図３（ｂ）は、カラーホイール８の構成を示す。カラーホイール８は、円周方向に沿って赤フィルタ８１、緑フィルタ８２、青フィルタ８３、赤フィルタ８４、緑フィルタ８５、及び青フィルタ８６よりなる３色のフィルタを交互に２組配列された６セグメントのカラーホイールとなっている。カラーホイール７は、３色のカラ―フィルタに加え白色（透明）フィルタが配列されているので、光の透過量が多く、高い輝度を得ることができる。また、カラーホイール８は、３色のカラーフィルタを２組有しているので、色が細かく識別されることにより、色彩の再現性が向上する。すなわち、カラーホイール７には、プレゼンテーションなどの高輝度が要求される会議用プロジェクタに適したフィルタ配色構成が形成され、カラーホイール８には、映画などの高画質の映像画像が望まれるホームシアタ用プロジェクタに適したフィルタ配色構成が形成されている。
【００２０】
上記カラーホイール部のカラーホイール切替えの構成について、図４を参照して説明する。同図において、カラーホイール部６は、カラーホイール７及びカラーホイール８に加え、これらのカラーホイールを移動自在に保持する移動台６１（カラーホイール切替手段）と、この移動台６１をギアでかみ合わせて移動させるダイヤルスイッチ６３（カラーホイール切替手段）とを備えている。移動台６１は、略直方体のブロック（図示なし）で形成され、そのブロック上面は移動方向の直線上にギアを並べたラック６２を形成している。ダイヤルスイッチ６３は、回転可能な円盤状に形成され、その円盤の同心円状に、この円盤と一体化された歯車６４が設けられ、その回転軸は、移動しないように装置本体２の一部に固定されている。ダイヤルスイッチ６３の歯車６４は、ラック６２とかみ合うように配設され、ダイヤルスイッチ６３を回転させることにより、歯車６４が回転し、歯車６４とかみ合っているラック６２が水平方向に移動するように形成されている。したがって、ラック６２の移動により、移動台６１全体をラック６２と同じ方向に移動させることができる。これにより移動台６１の移動と一緒に、移動台６１に取り付けられているカラーホイール７及びカラーホイール８が一体となって移動し、選択されたカラーホイールのフィルタにおける光の通過する光通過位置６５（ここでは、カラーホイール７が選択された場合）が光の光路５４（図２参照）上に合ったときに、移動を止め、カラーホイールの切替設定を完了する。そして、再度、カラーホイールを切り替えるときは、上記と反対の方向に移動させ、同様に、選択されたカラーホイールのフィルタにおける光の通過する光通過位置６６（ここでは、カラーホイール８が選択された場合）が、光の光路５４（図２参照）の位置に合ったときに、移動を止め位置設定を完了する。なお、この切替動作は、ダイヤルスイッチ６３をモータ（図示なし）で回転させて、外部スイッチ９により自動的に移動台６１を動かして行うことも可能である。
【００２１】
図５（ａ）、（ｂ）は、カラーホイールが、それぞれカラーホイール７及びカラーホイール８に切替えられた場合のランプ５１からの光束の光路５４と、カラーホイールの位置関係を斜視したものである。図５（ａ）では、カラーホイール７上の光の通過する光通過位置６５が光路５４の位置に合うようにカラーホイールが設定されている。図５（ｂ）では、カラーホイール８が選択された場合に、カラーホイール部６（図２参照）の移動台６１（図２参照）が移動して、カラーホイール８上の光の通過する光通過位置６６が光路５４の位置に合うように設定されている。
【００２２】
次に、カラーホイールの切替時に、ダイヤルスイッチ６３（図４参照）からの切り替え信号に基づき、マイコン１４で発生させるカラーホイール制御信号により行われるカラーホイール切替処理の流れを、図６に示すフローチャートを参照して説明する。先ず、カラーホイール切替え処理がスタートすると（Ｓ１）、マイコン１４は、カラーホイール切替えのダイヤルスイッチの切り替え信号に基づき、会議モードかそうでないかを判別し（Ｓ２）、もし、会議モードであれば（Ｓ２でＹＥＳ）、カラーホイール制御信号を生成して、カラーホイールを（第１の）カラーホイール７に変更すると共に（Ｓ３）、カラーホイール７の回転数をカラーホイール７の特性に応じた回転数に設定する（Ｓ５）。次に、マイコン１４は、プロジェクタ１の明るさ、コントラスト及び色温度を最適に変更し（Ｓ６）、さらに冷却ファン５２の回転数を、予め決められた回転数に変更して（Ｓ７）、当処理を終了する（Ｓ１１）。一方、もしＳ２において、プロジェクタ１が会議モードでない場合は（Ｓ２でＮＯ）、カラーホイールを、（第２の）カラーホイール８に設定し（Ｓ４）、上記と同様にマイコン１４の制御により、カラーホイール８の回転数をカラーホイール８の特性に応じた回転数に設定し（Ｓ８）、これに対応するプロジェクタ１の明るさ、コントラスト及び色温度を最適に変更し（Ｓ９）、さらに冷却ファン５２の回転数を、予め決められた回転数に変更して（Ｓ１０）、当処理を終了する（Ｓ１１）。
【００２３】
図７に、上記カラーホイール７（第１のカラーホイール）及びカラーホイール８（第２のカラーホイール）の仕様の一部を示す。カラーホイール７及びカラーホイール８の赤（Ｒ）、緑（Ｇ）、青（Ｂ）の各カラーフィルタの配色の分割角度、及び各カラーホイールの回転数、選択された各カラーホイールに対応する冷却ファンの回転数の各仕様を示す。一般に、カラーホイールの回転数は使用するモータにより異なるが、６０Ｈｚを基準とした場合、第２のカラーホイールでは、色再現性を高めるための３色２組のカラーフィルタに対応して、その回転数を基準の２倍の１２０Ｈｚと速くしている。第１のカラーホイールでは、輝度を高めるためカラーホイールの回転数を基準の１．５倍の９０Ｈｚと第２のカラーホイールの場合に比べ少し遅くしている。この回転数は、モータのスペックによって基準の回転数から変更され、また、温度によっても変更される。冷却ファンの回転数は、カラーホイール切替時の色温度の変更に伴い、輝度を上げる場合には冷却効果を上げる必要があることから、第１のカラーホイールでは回転数を５００Ｈｚと増加している。
【００２４】
以上述べたように、本実施形態によるプロジェクタ１によれば、輝度を最適にする第１のカラーホイール７と、色再現性を最適にする第２のカラーホイール８を備え、それらをダイヤルスイッチ６３で切り替えられるようにすることができる。従って、用途に応じて簡単にカラーホイールを選択できると共に、選択されたカラーホイールに合わせて、カラーホイールの回転数や、プロジェクタ１の明るさ、コントラスト、色温度及びファンの回転数を詳細に変更できるので、プロジェクタ１の使用状態に応じた最適な画像画質を得ることができる。これにより、１台のプロジェクタを、輝度重視の会議用及び色彩重視の家庭用の両方において最適に利用することができる。
【００２５】
なお、本発明は、上記実施形態に限られるものではなく、様々な変形が可能である。上記実施形態では、二つのカラーホイールが光路を水平に横切るようにカラーホイール部を構成したが、光路に垂直に上下に通過させて移動させることもできる。
【００２６】
また、移動台上の二つのカラーホイールを、光路方向に対してカラーフィルタの前後、左右の間隔を、二つのカラーホイールの移動時に、両者が光路を同時に横切らず、かつ一方のカラーホイールが動作時に、他方のカラーホイールの位置を、そのカラーホイールの円弧が、光路を横切らず、光路のビームの最大径に接しない程度に接近させることにより、二つのカラーホイールの切替に伴う移動距離を最短にすることができる。
【００２７】
さらに、上記実施形態では、切替スイッチにダイヤルスイッチを用いたが、電子スイッチとモータを用いて自動的にカラーホイールの切替えを行うこともできる。
【図面の簡単な説明】
【００２８】
【図１】本発明の第１の実施形態に係るプロジェクタ装置の外観を示す斜視図。
【図２】上記プロジェクタ装置の電気的ブロック構成図。
【図３】（ａ）と（ｂ）とは、それぞれ上記プロジェクタ装置における第１のカラーホイールと第２のカラーホイールの配色構成を示す図。
【図４】上記プロジェクタ装置におけるカラーホイール部のカラーホイール切替えを説明する図。
【図５】（ａ）と（ｂ）とは、それぞれ上記プロジェクタ装置における第１のカラーホイールと第２のカラーホイール切替え時の各カラーホイールと光源からの光との位置関係を示す図。
【図６】上記プロジェクタ装置におけるカラーホイール切替え処理のフローチャートを示す。
【図７】上記プロジェクタ装置における第１のカラーホイールと第２のカラーホイールの仕様の一部を示す図。
【図８】従来のプロジェクタにおけるカラーフィルタの切替えを示す図。
【符号の説明】
【００２９】
１  プロジェクタ装置
５  光源部（光源）
６  カラーホイール部
７  カラーホイール（第１のカラーホイール）
８  カラーホイール（第２のカラーホイール）
４５  ＤＭＤ（画像形成素子）
５１  ランプ（光源）
５２  冷却ファン
６１  移動台（カラーホイール切替え手段）
６３  ダイヤルスイッチ（カラーホイール切替え手段）
７１  赤色フィルタ
７２  緑色フィルタ
７３  青色フィルタ
７４  白色（透明）フィルタ
８１  赤色フィルタ
８２  緑色フィルタ
８３  青色フィルタ
８４  赤色フィルタ
８５  緑色フィルタ
８６  青色フィルタ
【図１】
2006215431.tif 000003
【図２】
2006215431.tif 000004
【図３】
2006215431.tif 000005
【図４】
2006215431.tif 000006
【図５】
2006215431.tif 000007
【図６】
2006215431.tif 000008
【図７】
2006215431.tif 000009
【図８】
2006215431.tif 000010